(57)【特許請求の範囲】
【請求項１】
左右又は上下の異なる方向に対して異なる画像を表示するマルチ画面表示装置と、
前記マルチ画面表示装置上に設けられたタッチパネルと、
前記タッチパネルの周囲に設けられ、操作入力のために前記タッチパネルに接近してきた操作入力物体の接近方向を検出する近接センサ部と、
検出された接近方向とは異なる方向からの前記タッチパネルに対する操作入力を制限する制御部と、を備えることを特徴とする操作入力装置。
【請求項２】
前記制御部は、前記検出された接近方向と異なる方向からの操作入力を無効とすることを特徴とする請求の範囲第１項に記載の操作入力装置。
【請求項３】
前記タッチパネル上の操作入力位置を示すアイコンを前記マルチ画面表示装置上に表示するアイコン表示手段を備え、
前記タッチパネルに接近してきた操作入力物体の接近方向を前記近接センサ部が検出したときには、前記アイコン表示手段は、前記検出された接近方向と異なる方向に対して表示される画像に含まれるアイコンを消去することを特徴とする請求の範囲第１項に記載の操作入力装置。
【請求項４】
前記制御部は、前記操作入力物体による前記タッチパネルに対する操作入力が終了した後でも、操作入力物体がタッチパネルに接近していることを前記近接センサ部が検出している間は、前記操作入力の制限を継続することを特徴とする請求の範囲第１項に記載の操作入力装置。
【発明の詳細な説明】
【技術分野】
【０００１】
本発明は、表示装置及びタッチパネルを用いて操作入力を行う装置に関する。
【背景技術】
【０００２】
異なる観察方向に対して異なる画像を表示可能なマルチ画面表示型液晶ディスプレイが製品化されている（例えば特許文献１を参照）。このような液晶ディスプレイを車両に取り付けた場合、運転席側からの観察方向に対してはナビゲーション装置からの地図画像などを表示し、助手席側からの観察方向に対しては例えば映画などの画像を表示することができる。また、この液晶ディスプレイの表示面にタッチパネルを配置し、接触位置を感知することにより、様々な操作入力を行うことができる操作入力装置を構成することができる。
上記の液晶ディスプレイ装置において、タッチパネルからの入力時には、以下のような画像表示方法が知られている。第１の方法は、入力が可能な表示画面を両方向に表示する、即ち、表示を１画面にしてしまうものである。また、第２の方法は、画面上の操作入力位置及びそれを示すアイコンの表示位置を、２つの画面間で重複しないように配置し、お互いに相手側のアイコンが見えないようにするものである。【０００３】
しかし、上記の第１の方法では、タッチパネルからの入力時には表示画面が１画面になってしまうので、その間の一定期間にわたって、タッチパネルを操作しない側の表示ができないという問題があった。
また、第２の方法では、お互いに相手側の操作入力位置を示すアイコンの位置が見えないため、相手側の操作アイコン部分に誤ってタッチしてしまうことがあり、誤入力、誤操作の原因になっていた。
【特許文献１】特開２００５−７８０７６号公報
【発明の開示】
【発明が解決しようとする課題】
【０００４】
本発明が解決しようとする課題としては、上記のものが一例として挙げられる。本発明は、マルチ画面表示が可能な操作入力装置において、お互いの画面の表示機能を阻害すること無く、互いに円滑な操作入力を可能とすることを目的とする。【０００５】
本発明の１つの実施形態では、操作入力装置は、左右又は上下の異なる方向に対して異なる画像を表示するマルチ画面表示装置と、前記マルチ画面表示装置上に設けられたタッチパネルと、前記タッチパネルの周囲に設けられ、操作入力のために前記タッチパネルに接近してきた操作入力物体の接近方向を検出する近接センサ部と、検出された接近方向とは異なる方向からの前記タッチパネルに対する操作入力を制限する制御部と、を備える。【０００６】
上記の操作入力装置は、例えば左右又は上下に２画面表示が可能な液晶表示装置などのマルチ画面表示装置を備える。また、マルチ画面表示装置の表示領域にはタッチパネルが設けられる。さらに、タッチパネルの周囲には近接センサ部が設けられる。近接センサ部は、複数の近接センサにより構成することができ、操作入力のためにタッチパネルに接近するユーザの指、タッチペンその他の操作入力物体の接近方向を検出する。そして、制御部は、検出された方向とは異なる方向からの操作入力を制限する。例えば操作入力装置が左右の２画面表示装置を備える場合、右方向からの操作入力物体の接近が検出されたときには、左方向からの操作入力を制限する。これにより、一方の方向から操作入力物体が接近しているときの他方向からの誤入力を防止することができる。【０００７】
上記の操作入力装置の一態様では、前記制御部は、前記検出された接近方向と異なる方向からの操作入力を無効とする。これにより、一方向から操作入力物体が接近している間は、他方向からタッチパネルに対して操作入力がなされた場合でも、その入力は無効とされる。【０００８】
上記の操作入力装置の他の一態様は、前記タッチパネル上の操作入力位置を示すアイコンを前記マルチ画面表示装置上に表示するアイコン表示手段を備え、前記タッチパネルに接近してきた操作入力物体の接近方向を前記近接センサ部が検出したときには、前記アイコン表示手段は、前記検出された接近方向と異なる方向に対して表示される画像に含まれるアイコンを消去する。【０００９】
この態様では、通常状態では、マルチ画面表示装置に表示される各画面には、タッチパネル上の操作入力位置を示すアイコンが表示される。但し、一方向から操作入力物体が接近した場合には、それと反対方向に表示される画面から、アイコンの表示が消去される。よって、反対方向の表示画面を見ているユーザは、画面からアイコンの表示が消えるので、操作入力できない状態になったことを認識することができ、誤入力が防止される。【００１０】
上記の操作入力装置の他の一態様では、前記制御部は、前記操作入力物体による前記タッチパネルに対する操作入力が終了した後でも、操作入力物体がタッチパネルに接近していることを前記近接センサ部が検出している間は、前記操作入力の制限を継続する。これにより、タッチパネルに対する入力が終了した後でもまだ操作入力物体がタッチパネル近傍にある間は、引き続き反対方向からの入力を制限し続けることにより、誤入力を防止する。
【図面の簡単な説明】
【００１１】
【図１】実施例によるナビゲーション装置の概略構成を示すブロック図である。
【図２】ディスプレイ装置の外観図である。
【図３】近接センサの合成指向性特性を示す。
【図４】操作入力制御処理中の表示画面例を示す。
【図５】操作入力制御処理のフローチャートである。
【符号の説明】
【００１２】
１  ナビゲーション装置
１０  本体ユニット
１１  画像再生部
１２  ナビゲーションユニット
１５  制御部
２０  ディスプレイ装置
２２  液晶表示装置
２４  タッチパネル
２６  近接センサ
【発明を実施するための最良の形態】
【００１３】
以下、図面を参照して本発明の好適な実施例について説明する。なお、以下の説明は、本発明を車両用のナビゲーション装置に適用した例を示す。【００１４】
［装置構成］
図１に、ナビゲーション装置１の構成を示す。図１に示すように、ナビゲーション装置１は、大別して、本体ユニット１０と、ディスプレイ装置２０とを備える。【００１５】
ディスプレイ装置２０は液晶ディスプレイ装置であり、液晶表示装置２２、タッチパネル２４及び近接センサ２６ａ１〜２６ａ３、２６ｂ１〜２６ｂ３を備える。図２（ａ）及び図２（ｂ）にディスプレイ装置２０の外観を示す。図２（ａ）はディスプレイ装置２０を斜め上方から見た斜視図であり、図２（ｂ）はディスプレイ装置２０の正面図である。【００１６】
液晶表示装置２２は、左右方向から観察したときに、互いに異なる画像を表示することが可能な２画面同時表示機能を有する。具体的には、図２（ａ）及び図２（ｂ）において、矢印Ｄａ、Ｄｂはそれぞれディスプレイ装置２０に対する観察方向を示している。ディスプレイ装置２０に対して右側からの方向Ｄａから見た場合、ディスプレイ装置２０には画面Ａが表示される。一方、ディスプレイ装置２０に対して左側からの方向Ｄｂから見た場合、ディスプレイ装置２０には画面Ｂが表示される。本実施例では、右側（運転席側）からの方向Ｄａに対して表示される画面Ａは例えばナビゲーションユニットによる地図画像であり、左側（助手席側）からの方向Ｄｂに対して表示される画面Ｂは例えば映画などの動画であるとする。【００１７】
液晶表示装置２２の表示画面上には、液晶表示装置２２の表示画面全体を覆うようにタッチパネル２４が取り付けられる。なお、本発明では、タッチパネル２４の接触位置検出方式は問わない。【００１８】
液晶表示装置２２の表示領域の周囲、即ち、タッチパネル２４の周囲には、複数の近接センサ２６ａ１〜２６ａ３、２６ｂ１〜２６ｂ３が設けられる。なお、以下の説明においては、個々の近接センサを区別する必要がない場合、６個の近接センサを代表して「近接センサ２６」と記す。これら近接センサ２６ａ１〜２６ａ３、２６ｂ１〜２６ｂ３により近接センサ部が構成される。具体的に、図２（ｂ）の例では、液晶表示装置２２の図中右側には３つの近接センサ２６ａ１〜２６ａ３が設けられ、これらが右側から（即ち、方向Ｄａから）タッチパネル２４を操作する物体を検出する機能を有する。なお、タッチパネル２４を操作する物体とは、例えばユーザの指、タッチペンなどである（以下、これを「操作入力物体」とも呼ぶ。）。一方、液晶表示装置２２の図中左側には３つの近接センサ２６ｂ１〜２６ｂ３が設けられ、これらが左側から（即ち、方向Ｄｂから）タッチパネル２４を操作する物体を検出する機能を有する。【００１９】
本実施例では、近接センサ２６はいわゆる静電容量式近接センサである。静電容量式近接センサとは、大気と異なる誘電率を有する物体が一対の電極間に接近すると電極間容量が変化することを利用して物体が接近したことを検出するセンサであるが、これ自体は既知であるので詳細な説明は省略する。なお、本発明では、静電容量式の代わりに、電磁誘導を利用した高周波発振型、磁石を用いた磁気型などの各種の方式の近接センサを適用することが可能である。【００２０】
具体的には、各近接センサ２６は、物体が近づくと、物体との距離に応じた電圧を出力する。よって、基本的には、接近している物体に近い近接センサほど大きな電圧値を出力することになる。なお、検出処理の詳細は後述する。【００２１】
図３（ａ）は、図２（ｂ）に示した近接センサ２６の検出感度指向性の概略図であり、ディスプレイ装置２０の上方から見た斜視図である。また、図３（ｂ）は、ディスプレイ装置２０の正面方向から見たときの、近接センサ２６の検出感度指向性の概略図である。図３（ａ）、図３（ｂ）において、破線３０ａがディスプレイ装置２０の右側の指向性を示し、破線３０ｂが左側の指向性を示す。なお、これらの指向性特性は、各方向を検出するセンサの合成特性となっている。即ち、破線３０ａが示すディスプレイ装置２０の右側の指向性は、図２（ｂ）に示す近接センサ２６ａ１〜２６ａ３により規定され、破線３０ｂが示すディスプレイ装置２０の左側の指向性は、図２（ｂ）に示す近接センサ２６ｂ１〜２６ｂ３により規定される。【００２２】
次に、図１に戻り、本体ユニット１０の構成について説明する。本体ユニット１０は、画像再生部１１と、ナビゲーションユニット１２と、画像合成部１４と、制御部１５とを備える。画像再生部１１は、例えばＤＶＤなどの画像ソースから映画などの動画像を再生する。また、画像再生部１１は、ＴＶチューナなどによりＴＶ信号を再生してもよい。再生された画像信号Ｓ１は、画像合成部１４へ供給される。なお、画像再生部１１は、ＤＶＤ再生機能を備えた既知のナビゲーション装置のＤＶＤ再生ユニットと同様の構成とすることができる。【００２３】
一方、ナビゲーションユニット１２は、ＧＰＳユニット、地図データ記憶部などを備え、ナビゲーション画像に対応する画像信号Ｓ２を生成して画像合成部１４へ供給する。ナビゲーション画像は、一般的には地図上に車両の現在位置が表示されたものである。【００２４】
画像合成部１４は、画像再生部１１から供給された画像信号Ｓ１と、ナビゲーションユニット１２から供給された画像信号Ｓ２を合成し、２画面表示用のマルチ画像信号Ｓ５を生成し、ディスプレイ装置２０内の液晶表示装置２２へ供給する。２画面表示型の液晶表示装置２２は、マルチ画像信号Ｓ５を表示することにより、方向Ｄａに画面Ａとしてナビゲーション画像を表示するとともに、方向Ｄｂに画面Ｂとして映画などの動画像を表示する。【００２５】
制御部１５は、本体ユニット１０内の各要素を統括的に制御する。具体的には、制御部１５は、ユーザがタッチパネル２４に対して行った操作入力に応じて、画像再生部１１、ナビゲーションユニット１２へ制御信号Ｓ９、Ｓ８を送り、それらを制御する。例えば、方向Ｄｂから映画の画面Ｂを見ているユーザがタッチパネル２４に対して映画の再生、停止、一時停止などの操作入力を行うと、その操作入力に対応する制御信号Ｓ６が制御部１５に供給される。制御部１５は、これに応じて、制御信号Ｓ９を画像再生部１１へ供給し、画像再生部１１による映画の再生、停止、一時停止などを指示する。また、方向Ｄａからナビゲーション画像の画面Ａを見ているユーザがタッチパネル２４に対してナビゲーションユニットの操作入力を行うと、その操作入力に対応する制御信号Ｓ６が制御部１５へ供給される。制御部１５は、これに応じて、制御信号Ｓ８をナビゲーションユニット１２へ供給し、ナビゲーションユニット１２の動作を制御する。【００２６】
また、制御部１５は、複数の近接センサ２６から出力信号Ｓ７を受け取り、操作入力のためにタッチパネル４２に接近している操作入力物体の接近方向を検出する。なお、この処理の詳細については後述する。【００２７】
さらに、制御部１５は、検出した操作入力物体の接近方向に基づいて、画像再生部１１及びナビゲーションユニット１２に制御信号Ｓ９、Ｓ８を供給し、液晶表示装置２２に表示される画像に含まれるアイコンの表示、消去を制御する。このアイコンは、液晶表示装置２２に重ねて取り付けられたタッチパネル２４上における操作入力の位置を示すアイコンである（「操作入力用アイコン」とも呼ぶ。）。即ち、このアイコンの表示位置に対応するタッチパネル２４上の位置にタッチすることにより、当該アイコンに対応する操作入力がなされる。【００２８】
［操作制御］
次に、上記のナビゲーション装置１による操作制御について説明する。上述のように、本実施例では、２画面表示型の液晶表示装置２２を備えるディスプレイ装置において、ユーザが操作入力を行う際にディスプレイ装置２０に接近してくる操作入力物体の接近方向を検出し、その接近方向と異なる方向、本実施例では接近方向と反対方向からタッチパネル２４への操作入力を制限する。【００２９】
図４に、ディスプレイ装置２０に表示される画像例を示す。図４（ａ）は、運転席側からの方向Ｄａに対して表示される画面Ａの画像表示例として、ナビゲーション画像３５ａを示している。ナビゲーション画像３５ａは、車両の現在位置マークを含む地図と、複数の操作入力用アイコン３７ａ〜３７ｅを含む。アイコン３７ａ〜３７ｃは表示された地図の縮尺変更指示に対応し、アイコン３７ｄは自宅までのルート探索指示に対応し、アイコン３７ｅはルート案内の中止指示に対応する。【００３０】
図４（ｂ）は、助手席側からの方向Ｄｂに対して表示される画面Ｂの画像表示例として、映画画像３５ｂを示している。映画画像３５ｂは、映画の再生に関連する操作入力用アイコン３６ａ〜３６ｅを含む。アイコン３６ａ、３６ｂは音量の変更指示に対応し、アイコン３６ｃは再生停止の指示に対応し、アイコン３６ｄは再生指示に対応し、アイコン３６ｅは一時停止指示に対応する。【００３１】
いま、画面Ａとして図４（ａ）に示すナビゲーション画像３５ａが表示され、画面Ｂとして図４（ｂ）に示す映画画像３５ｂが表示されている状態で、運転席側からユーザがナビゲーション画像３５ａに含まれるアイコンに対して操作入力を行うとする。ユーザの操作入力物体が方向Ｄａ側からディスプレイ装置２０のタッチパネル２４に接近すると、近接センサ２６の出力が変化し、制御部１５は近接センサ２６の出力の変化に基づいて、方向Ｄａ側から操作入力物体が接近していることを検出する。そして、制御部１５は、操作入力物体の接近方向である方向Ｄａと反対である方向Ｄｂからの操作入力を無効とする。具体的には、画面Ｂのアイコン３６ａ〜３６ｅに対応するタッチパネル２４上の位置に対してなされた操作入力を無効とする。さらに、制御部１５は、画像再生部１１に制御信号Ｓ９を送り、画像再生部１１から再生される映画画像３５ｂ中の操作入力用アイコン３６ａ〜３６ｅの表示を消去する。図４（ｃ）にそのときの表示例を示す。なお、操作入力用アイコン３６ａ〜３６ｅが破線で示されているのは、それらが一時的に消去されていることを示している。【００３２】
逆に、方向Ｄｂ側から操作入力物体が接近していることを検出したときには、制御部１５は、方向Ｄａ側からの操作入力を無効とし、画面Ａであるナビゲーション画像３５ａに含まれる操作入力用アイコン３７ａ〜３７ｅの表示を消去する。【００３３】
以上の処理により、方向Ｄａ側から操作入力物体が接近しているときに、方向Ｄｂ側からの操作入力を制限し、方向Ｄｂ側からの誤操作を防止することができる。また、方向Ｄａ側から操作入力物体が接近しているときには、それと反対側の画面Ｂ上の操作入力用アイコンが消去されるので、助手席側のユーザは操作ができなくなっていることを認識し、誤入力を防止することができる。【００３４】
次に、操作入力制御処理について説明する。図５は操作入力制御処理のフローチャートを示す。この処理は、基本的に本体ユニット１０内の制御部１５が行う。また、この処理は、２画面表示型のディスプレイ装置２０に、それぞれ操作入力用アイコンを含む画面Ａ及び画面Ｂが表示されている状態で、定期的に繰り返し実行される。【００３５】
まず、制御部１５は、近接センサ２６の出力変化が設定値を超えたか否かを判定する（ステップＳ１１）。近接センサ２６は、操作入力物体の接近により内部の電極間容量が変化すると、それに応じて出力電圧が変化する。制御部１５は、近接センサ２６からの出力信号Ｓ７を監視し、所定の設定値を超える出力電圧の変化を検出した場合、操作入力物体が接近してきたと判断する。所定の設定値と比較している理由は、タッチパネル２４に対する操作入力とは考えられない程度の遠い距離における物体の接近を除外するとともに、温度や湿度などの誤差要因の影響を排除し、安定な検出動作を担保するためである。なお、ステップＳ１１の判定は、６個全ての近接センサ２６の出力変化が設定値を超えた場合にＹｅｓと判定してもよいし、いくつかの近接センサ２６の出力変化が設定値を超えた場合にＹｅｓと判定してもよい。【００３６】
各近接センサ２６の出力変化が設定値を超えた場合（ステップＳ１１；Ｙｅｓ）、制御部１５は、方向Ｄａ側に配置された近接センサ２６ａ１〜２６ａ３のうち、最大の変化値をＡｍａｘとして内部のメモリやレジスタなどに格納する（ステップＳ１２）。また、制御部１５は、方向Ｄｂ側に配置された近接センサ２６ｂ１〜２６ｂ３のうち、最大の変化値をＢｍａｘとして内部のメモリやレジスタなどに格納する（ステップＳ１３）。そして、制御部１５は、最大の変化値ＡｍａｘとＢｍａｘを比較する（ステップＳ１４）。【００３７】
最大の変化値ＡｍａｘがＢｍａｘより大きい場合（ステップＳ１４；Ｙｅｓ）、制御部１５は操作入力物体が方向Ｄａから接近していると判定し（ステップＳ１５）、それと反対側である画面Ｂについて、操作入力を制限する。具体的には、制御部は、画面Ｂについて操作入力を無効とするとともに、操作入力用アイコンを消去する（ステップＳ１６）。一方、最大の変化値ＡｍａｘがＢｍａｘより小さい場合（ステップＳ１４；Ｎｏ）、制御部１５は操作入力物体が方向Ｄｂから接近していると判定し（ステップＳ１７）、それと反対側である画面Ａについて、操作入力を制限する。具体的には、制御部１５は、画面Ａについて操作入力を無効とするとともに、操作入力用アイコンを消去する（ステップＳ１８）。これにより、操作入力物体が接近している間、それと反対側からの操作入力が制限されるので、誤入力を防止することができる。【００３８】
次に、制御部１５は、タッチパネル２４に対する操作入力がなされると、それに対応する処理を実行する（ステップＳ１９）。この場合、ステップＳ１５又はＳ１７で判定された方向と逆方向からの操作入力はステップＳ１６又はＳ１８で制限されているので、ステップＳ１５又はＳ１７で検出された方向からの操作入力に対応する処理が実行されることになる。【００３９】
次に、制御部１５はタッチパネル２４に対する操作入力が継続しているか否かを判定し（ステップＳ２０）、継続中は対応する処理の実行を継続する。一方、操作入力が終了すると（ステップＳ２０；Ｎｏ）、処理は終了する。これにより、ステップＳ１６又はＳ１８で実行されていた操作入力の制限、即ち、操作入力の無効化及びアイコンの消去は終了する。【００４０】
このように、本実施例では、近接センサ２６の出力変化に基づいて操作入力物体の接近を検出し、その接近方向と反対側の画面に対する操作入力を制限するので、誤入力を防止することができる。【００４１】
なお、上記の例では、ステップＳ２０でタッチパネル２４に対する操作入力が終了したときに、反対側からの操作入力の無効化及びアイコン消去を終了している。その代わりに、タッチパネル２４に対する操作入力が終了しても、検出された操作入力物体がタッチパネル２４から所定距離以内に依然として存在している間は、反対側の画面に対する操作入力の無効化及びアイコンの消去を継続してもよい。その場合には、タッチパネル２４に対する操作入力が終了した後でも、制御部１５は、近接センサ２６の出力電圧が上記所定距離に対応する所定の設定値を超えている間は、操作入力物体が依然としてタッチパネル２４の近くにあると判定し、その間はステップＳ１６又はＳ１８の処理を継続する。そして、近接センサ２６の出力電圧が所定の設定値より小さくなったときに、操作入力物体がタッチパネル２４から十分に離れたと判断し、ステップＳ１６及びＳ１８の処理を終了する。【００４２】
以上詳述したように、本実施例によれば、操作入力装置は、左右又は上下の異なる方向に対して異なる画像を表示する２画面表示型液晶表示装置と、その液晶表示装置上に設けられたタッチパネルと、タッチパネルの周囲に設けられ、操作入力のためにタッチパネルに接近してきた物体の接近方向を検出する近接センサと、検出された接近方向とは異なる方向からの前記タッチパネルに対する操作入力を制限する制御部と、を備える。この装置によれば、ある操作者が装置を操作しようとしている方向以外の方向から他の操作者が装置を操作しようとした場合でも、制御部は他のユーザ側からの操作入力を無効とし、アイコン表示も消去する。よって、他のユーザはタッチパネルに接触する以前に、現在操作ができない状態であることに気づき、誤入力を防止できる。また、各操作者は、自分が見ている表示内容に対して円滑な操作ができるようになる。
さらに、２画面表示型液晶ディスプレイ装置の夫々異なる表示画面Ａ及びＢに対して、それら表示画面上の同一場所に、それぞれ異なるタッチパネルの操作入力位置を設定し、操作に対応するアイコンを表示することが出来る。即ち、図４（ａ）及び図４（ｂ）の例に示されるように、タッチパネル２４上のほぼ同一位置に対して、画面Ａではアイコン３７ｅを設定し、画面Ｂではアイコン３６ｅを設定することができる。よって、液晶ディスプレイの画面の全面積に対して、必要な操作入力エリアと、それに対応するアイコン表示を自由に設定することができ、誤操作が起き難い大きなエリア設定が可能となる。
［変形例］
上記の実施例では、左右の２画面表示型ディスプレイ装置に本発明を適用しているが、上下の２画面表示型ディスプレイ装置に本発明を適用することもできる。その場合には、ディスプレイ装置の上側と下側にそれぞれ所定数の近接センサが配置される。ディスプレイ装置の上側に操作入力物体が接近したことが検出された場合には下側画面への操作入力が制限され、ディスプレイ装置の下側に操作入力物体が接近したことが検出された場合には上側画面への操作入力が制限される。【００４３】
また、本発明は、３画面以上の異なる画像を異なる方向に同時に表示可能なマルチ画面表示装置に適用することも可能である。
【産業上の利用可能性】
【００４４】
本発明は、車両などに代表される移動体のナビゲーション装置に利用することができる。
【図１】
0004545212.tif 000002
【図２】
0004545212.tif 000003
【図３】
0004545212.tif 000004
【図４】
0004545212.tif 000005
【図５】
0004545212.tif 000006